(57)【要約】【課題】フィルター装置の自動清掃を簡素な構成で容易に行うことができるとともに、空気清浄装置についても長期間にわたって、メンテナンス作業を必要としない空気調和機を提供すること。【解決手段】室内ユニットを備えた空気調和機に、フィルター枠１と、フィルター枠１に支持固定され、熱交換器を通過する空気の塵埃を除去するエアフィルター２と、エアフィルター２の表面に沿って摺動自在の第１の吸引ノズル３とを備えるとともに空気調和機の室内ユニット内に自動的に清掃する機能を有する空気清浄装置１１を備えることで、長期間にわたって、メンテナンス作業を必要としない空気調和機を提供することができる。【選択図】図１
2007127337.tif 000002
【特許請求の範囲】
【請求項１】
室内ユニットを備えた空気調和機であって、前記室内ユニットに設けられた熱交換器を通過する空気の塵埃を除去するエアフィルターと、該エアーフィルターに沿って摺動自在の第１の吸引ノズルと、該第１の吸引ノズルに連結された第１の吸引装置により構成されるフィルター装置を備えるとともに、自動的に清掃する機能を有する空気清浄装置を備えたことを特徴とする空気調和機。
【請求項２】
空気清浄装置は空気中の微細塵埃を除去する空気清浄フィルターと、該空気清浄フィルターに沿って摺動自在の第２の吸引ノズルと、該第２の吸引ノズルに連結された第２の吸引装置により構成されることを特徴とする、請求項１に記載の空気調和機。
【請求項３】
空気清浄装置は空気中の微細塵埃を除去する空気清浄フィルターと、該空気清浄フィルターに沿って摺動自在の第２の吸引ノズルと、該第２の吸引ノズルに連結された第２の吸引装置により構成され、前記第２の吸引ノズルには機械的掻き取り手段を具備したことを特徴とする、請求項１に記載の空気調和機。
【請求項４】
空気清浄装置は空気中の微細塵埃を除去する空気清浄フィルターと、該空気清浄フィルターに沿って摺動自在の第２の吸引ノズルと、該第２の吸引ノズルに連結された第２の吸引装置により構成され、前記空気清浄フィルターには前記空気清浄フィルターを振動させる加振手段を具備したことを特徴とする、請求項１に記載の空気調和機。
【発明の詳細な説明】
【技術分野】
【０００１】
本発明は、室内ユニットの空気吸込口に設けられたエアフィルターを自動的に清掃する機能および空気中の微細塵埃を除去する空気清浄機能を備えた空気調和機に関する。
【背景技術】
【０００２】
従来の空気調和機のフィルター装置は、熱交換器の前面に、空気調和機の本体内部へ埃が侵入することを防ぐためのエアフィルターが設けられており、このエアフィルターは付着した塵埃を手で清掃できるように着脱自在に構成されている。こうした構成でのフィルター装置は頻繁なメンテナンスが必要となるだけでなく、メンテナンスが行われるまでの間にはエアフィルターが徐々に目詰まりしていき、その結果、熱交換器を通過する風量が低下し、空調能力が低下して消費電力の増大につながることとなる。
【０００３】
このため、エアフィルターのメンテナンスの手間を低減する目的で、吸引部が可動して、エアフィルターに付着した塵埃を定期的に清掃する自動清掃装置が提案されている（例えば、特許文献１参照。）。
【特許文献１】特開２００２−３４０３９５号公報
【発明の開示】
【発明が解決しようとする課題】
【０００４】
しかしながら、上記従来技術では、空気中の微細塵埃を除去する空気清浄装置については空気中から除去した微細塵埃を定期的に取り除くための清掃作業を必要としており、結果として空気調和機の定期的なメンテナンス作業が必要であるという課題があった。
【０００５】
本発明は、従来技術の有するこのような問題点に鑑みてなされたものであり、フィルター装置の自動清掃を簡素な構成で容易に行うことができるとともに、空気中の微細塵埃を除去する空気清浄装置についても空気中から除去した微細塵埃を自動的に取り除くことで、長期間にわたって、メンテナンス作業を必要としない空気調和機を提供することを目的としている。
【課題を解決するための手段】
【０００６】
上記目的を達成するために、本発明は、室内ユニットを備えた空気調和機であって、前記室内ユニットに設けられた熱交換器を通過する空気の塵埃を除去するエアフィルターと、該エアーフィルターに沿って摺動自在の吸引ノズルと、該吸引ノズルに連結された吸引装置により構成されるフィルター装置を備えるとともに、自動的に清掃する機能を有する空気清浄装置を備えたことを特徴とする。
【発明の効果】
【０００７】
本発明によれば、フィルター装置を、エアーフィルターに沿って摺動自在の吸引ノズルと、吸引ノズルに連結された吸引装置により構成したので、フィルター装置の自動清掃を簡素な構成で容易に行うことができる。また、自動的に清掃する機能を有する空気清浄装置を備えたことで長期間にわたって、メンテナンス作業を必要としない空気調和機を提供することができる。
【発明を実施するための最良の形態】
【０００８】
第１の発明は、室内ユニットを備えた空気調和機であって、前記室内ユニットに設けられた熱交換器を通過する空気の塵埃を除去するエアフィルターと、該エアーフィルターに沿って摺動自在の第１の吸引ノズルと、該第１の吸引ノズルに連結された第１の吸引装置
により構成されるフィルター装置を備えるとともに、自動的に清掃する機能を有する空気清浄装置を備えたもので、この構成を成すことにより、メンテナンスを必要としない空気調和機を提供することができる。
【０００９】
第２の発明は、特に第１の発明の空気清浄装置を、空気中の微細塵埃を除去する空気清浄フィルターと、該空気清浄フィルターに沿って摺動自在の第２の吸引ノズルと、該第２の吸引ノズルに連結された第２の吸引装置により構成したもので、この構成を成すことにより、メンテナンスを必要としない空気調和機を提供することができる。
【００１０】
第３の発明は、特に第１の発明の空気清浄装置を空気中の微細塵埃を除去する空気清浄フィルターと、該空気清浄フィルターに沿って摺動自在の第２の吸引ノズルと、該第２の吸引ノズルに連結された第２の吸引装置により構成され、前記第２の吸引ノズルには機械的掻き取り手段を具備したもので、この構成を成すことにより、メンテナンスを必要としない空気調和機を提供することができる。
【００１１】
第４の発明は、特に第１の発明の空気清浄装置を空気中の微細塵埃を除去する空気清浄フィルターと、該空気清浄フィルターに沿って摺動自在の第２の吸引ノズルと、該第２の吸引ノズルに連結された第２の吸引装置により構成され、前記空気清浄フィルターには前記空気清浄フィルターを振動させる加振手段を具備したもので、この構成を成すことにより、メンテナンスを必要としない空気調和機を提供することができる。
【００１２】
以下、本発明の実施の形態について、図面を参照しながら説明する。なお、この実施の形態により本発明が限定されるものではない。
【００１３】
（実施の形態１）
図１は本発明の実施の形態１にかかる空気調和機の室内ユニットに設けられたフィルター装置および自動的に清掃する機能を有する空気清浄装置の構成例を示した図である。
【００１４】
図１に示されるように、本実施の形態にかかるフィルター装置は、フィルター枠１と、フィルター枠１に支持固定され、熱交換器を通過する空気の塵埃を除去するエアフィルター２と、エアフィルター２の表面に沿って摺動自在の第１の吸引ノズル３とを備えるとともに空気調和機の室内ユニット内に自動的に清掃する機能を有する空気清浄装置１１を備えている。
【００１５】
第１の吸引ノズル３は、フィルター枠１の上下端に設置された一対の第１のガイドレール４により、エアフィルター２と極めて狭い間隙を保って円滑に左右に摺動することができ、エアフィルター上に付着した塵埃はこの第１の吸引ノズル３より吸引される。
【００１６】
また、第１の吸引ノズル３には第１の吸引ダクト５の一端が連結され、第１の吸引ダクト５の他端は第１の吸引装置６に連結される。
【００１７】
第１の吸引ダクト５は第１の吸引ノズル３の摺動に差し支えないように折り曲げ可能なダクトで形成される。
【００１８】
さらに、第１の吸引装置６には第１の排気ダクト７が連結され、室外へ引き回される。第１の吸引ノズル３により吸引されたエアフィルターの塵埃は第１の吸引ダクト５、第１の吸引装置６、第１の排気ダクト７を経由して室外へ排出される。
【００１９】
さらに、空気調和機の室内ユニット内に自動的に清掃する機能を有する空気清浄装置１１を備えている。
【００２０】
以上のような構成により、自動清掃運転が開始すると、第１の吸引装置６が第１の吸引ノズル３から空気を吸引し、第１の吸引ノズル３が左右に移動することで、エアフィルター２に付着した粉塵は第１の吸引ノズル３に吸引される。
【００２１】
さらに、室内ユニット内に自動的に清掃する機能を有する空気清浄装置１１を備えることで、フィルター装置の自動清掃を簡素な構成で容易に行うことができるとともに、自動的に清掃する機能を有する空気清浄装置を備えたことで長期間にわたって、メンテナンス作業を必要としない空気調和機を提供することができる。
【００２２】
なお、図１では、自動的に清掃する機能を有する空気清浄装置１１は空気調和機の室内ユニットの吸込み側に設置されているが、室内ユニット内であれば設置場所は問わない。
【００２３】
図２は本発明の実施の形態１にかかる自動的に清掃する機能を有する空気清浄装置の構成を示す斜視図である。
【００２４】
図２に示されるように、本実施の形態にかかる自動的に清掃する機能を有する空気清浄装置装置は、空気調和機の室内ユニットを通過する空気の塵埃を除去する空気清浄フィルター１２と、空気清浄フィルター１２の表面に沿って摺動自在の第２の吸引ノズル１３とを備えている。
【００２５】
第２の吸引ノズル１３は、空気清浄フィルター１２の下端に設置された第２のガイドレール１７により、空気清浄フィルター１２と極めて狭い間隙を保って円滑に左右に摺動することができ、空気清浄フィルター１２上に付着した塵埃はこの第２の吸引ノズル１３より吸引される。
【００２６】
また、第２の吸引ノズル１３には第２の吸引ダクト１４の一端が連結され、第２の吸引ダクト１４の他端は第２の吸引装置１５に連結される。
【００２７】
第２の吸引ダクト１４は第２の吸引ノズル１３の摺動に差し支えないように折り曲げあるいは伸縮可能なダクトで形成される。
【００２８】
さらに、第２の吸引装置１５には第２の排気ダクト１６が連結され、室外へ引き回される。
【００２９】
第２の吸引ノズル１３により吸引された空気清浄フィルター１２の塵埃は第２の吸引ダクト１４、第２の吸引装置１５、第２の排気ダクト１６を経由して室外へ排出される。
【００３０】
なお、第１の吸引ダクト５と第２の吸引ダクト１４、第１の吸引装置６と第２の吸引装置１５、第１の排気ダクト７と第２の第２の排気ダクト１６については兼用しても良い。
【００３１】
また、空気清浄フィルター１２については濾過式、あるいは静電式、帯電式など方式は問わない。
【００３２】
以上のような構成により、空気清浄装置１１の自動清掃運転が開始すると、第２の吸引装置１５が第２の吸引ノズル１３から空気を吸引し、第２の吸引ノズル１３が左右に移動することで、空気清浄フィルター１２に付着した粉塵は第２の吸引ノズル１３に吸引される。
【００３３】
以上により、フィルター装置の自動清掃を簡素な構成で容易に行うことができるととも
に、自動的に清掃する機能を有する空気清浄装置を備えたことで長期間にわたって、メンテナンス作業を必要としない空気調和機を提供することができる。
【００３４】
なお、図２では、自動的に清掃する機能を有する空気清浄装置は空気調和機の室内ユニットの吸込み側に設置されているが、室内ユニット内であれば設置場所は問わない。
【００３５】
さらに、第２の吸引ノズル１３に空気清浄フィルター１２と摺動するように、ブラシあるいはエラストマーといった機械的掻き取り手段を設けることで、清掃性能の向上が図れる。
【００３６】
また、空気清浄フィルター１２を振動させる加振器を設けることで、さらに清掃性の向上が図れる。
【産業上の利用可能性】
【００３７】
本発明は空気調和機のみならず、メンテナンスフリーの空気集塵装置の用途にも適用できる。
【図面の簡単な説明】
【００３８】
【図１】本発明の実施の形態１にかかる空気調和機の室内ユニットに設けられたフィルター装置および自動的に清掃する機能を有する空気清浄装置の構成を示す斜視図
【図２】本発明の実施の形態１にかかる自動的に清掃する機能を有する空気清浄装置の構成を示す斜視図
【符号の説明】
【００３９】
１  フィルター枠
２  エアフィルター
３  第１の吸引ノズル
４  第１のガイドレール
５  第１の吸引ダクト
６  第１の吸引装置
７  第１の排気ダクト
８  光源
９  光源ホルダ
１１  自動的に清掃する機能を有する空気清浄装置
１２  空気清浄フィルター
１３  第２の吸引ノズル
１４  第２の吸引ダクト
１５  第２の吸引装置
１６  第２の排気ダクト
１７  第２のガイドレール
【図１】
2007127337.tif 000003
【図２】
2007127337.tif 000004